(57)【要約】【課題】屋外に設置され利用用途が限られる太陽光・風力発電装置において、着脱が可能な充電ユニットを備え、屋内内等で充電出来る事を目的としている。【解決手段】太陽光風力発電装置１で発電した電力を、下部に設置された本体ユニット８に収納された充電ユニット７に蓄電し、蓄電された充電ユニット７を本体ユニット８から取り外し、住宅や施設の屋内に持ち運び、屋内で乾電池形蓄電池や充電機器等に充電し、充電ユニットの設置に限定される事なく、多くの用途に利用する事ができる。【選択図】図１
2009108853.tif 000002
【特許請求の範囲】
【請求項１】
太陽光発電手段と風力発電手段を備えた太陽光風力発電装置において、充電用バッテリーを内蔵した充電ユニットを備え、前記充電ユニットを太陽光風力発電装置から着脱することができる太陽光風力発電装置。
【請求項２】
充電ユニットに乾電池形蓄電池を充電する充電ソケットを備えた請求項１記載の太陽光風力発電装置。
【請求項３】
充電ユニットに充電機器を充電するためのＵＳＢ端子を備えた請求項１から２記載の太陽光風力発電装置。
【請求項４】
充電ユニットに充電機器を充電するためのＤＣ端子を備えた請求項１から３記載の太陽光風力発電装置。
【請求項５】
充電ユニットに充電状況を知らせる充電表示手段を備えた請求項１から４のいずれかに記載の太陽光風力発電装置。
【請求項６】
充電ユニットに充電中の逆流防止のための逆流防止回路を備えた請求項１から５記載の太陽光風力発電装置。
【請求項７】
充電ユニットに充電する乾電池形蓄電池の残電力量を知らせる残電力量表示手段を備えた請求項１から６のいずれかに記載の太陽光風力発電装置。
【請求項８】
充電ユニットに持ち運び用の取っ手を備えた請求項１から７記載の太陽光風力発電装置。
【請求項９】
太陽光風力発電充電装置に、固定バッテリーと照明装置を備えた請求項１から８のいずれかに記載の太陽光風力発電装置。
【請求項１０】
太陽光風力発電充電装置に、人を感知する人感知手段を備えた請求項１から９のいずれかに記載の太陽光風力発電装置。
【請求項１１】
充電ユニットを複数個備えた請求項１から１０のいずれかに記載の太陽光風力発電装置。
【請求項１２】
充電ユニットに、照明手段を備えた請求項１から１１のいずれかに記載の太陽光風力発電装置。
【請求項１３】
充電ユニットに防水手段を備えた請求項１から１２のいずれかに記載の太陽光風力発電装置。
【請求項１４】
充電ユニットにＡＣ変換機を備えた請求項１から１３のいずれかに記載の太陽光風力発電装置。
【請求項１５】
太陽光風力発電装置に小型カメラを備え、充電ユニットに小型カメラの画像を保存する記録手段を備えた請求項１から１４のいずれかに記載の太陽光風力発電装置。
【請求項１６】
充電ユニットに、記録手段に保存された画像を表示する画像表示手段を備えた請求項１から１５のいずれかに記載の太陽光風力発電装置。
【発明の詳細な説明】
【技術分野】
【０００１】
本発明は、充電ユニットを備えた、太陽光風力発電装置に関するものである。
【背景技術】
【０００２】
従来、この種の太陽光風力発電装置として、屋外照明装置として照明柱と垂直軸風車を備えた風力発電装置と太陽光発電装置と蓄電装置が一体化したものが知られている（例えば、特許文献１参照）。
【０００３】
以下、その太陽光風力発電装置について図８を参照しながら説明する。
【０００４】
地面等の水平面に固定されるベース１０５と、ベース１０５と一体となり垂直に延びる支柱１０６と、支柱１０６の上端部に設けられた風力発電装置１０１と、風力発電装置１０１の下方において支柱１０６に設けられた太陽光発電装置１０２と、支柱内部に設けられた蓄電装置１０４と、太陽光発電装置１０２の下方において支柱１０６に設けられた照明装置１０３で構成されている太陽光風力発電装置である。
【０００５】
また、この種の太陽光風力発電装置は、屋外照明装置として照明柱と水平軸プロペラ形風力発電装置と太陽光発電装置と蓄電装置が一体化したものが知られている（例えば、特許文献２参照）。
【０００６】
以下、その太陽光風力発電装置について図９を参照しながら説明する。
【０００７】
図に示すように、地面等の水平面に固定されるベース１０５と、ベース１０５と一体となった蓄電装置１０４を収納する基礎柱部１０７と、照明装置１０３が設けられた中間柱部１０８と、太陽光発電装置１０２と風力発電装置１０１が設けられた上部柱部１０９から構成されている太陽光風力発電装置である。
【特許文献１】特開２００６−０２９２２６号公報
【特許文献２】特開２００２−０２５３１４号公報
【発明の開示】
【発明が解決しようとする課題】
【０００８】
以上のような従来の技術では、太陽光と風力の自然エネルギーを利用する太陽光風力発電装置のために、設置場所が屋外に限定され、発電した電力を太陽光風力発電装置と一体となった蓄電装置に蓄電し、その利用用途として照明機器や表示機器など屋外に設置された太陽光風力発電装置に一体化された機器又は電力線で接続できる機器に限られることに課題がある。
【０００９】
そのため、太陽光と風力を利用した発電装置は公共事業分野へ普及しつつあるが、その利用用途は、太陽光風力発電装置が設置される屋外に限られるため、家庭等への普及の妨げになっており、太陽光風力発電装置が屋外の限定された場所へ設置されても、蓄電された電力を屋外以外の機器への利用することにより、その利用用途を拡大することが要求される。
【００１０】
本発明は、前記従来の課題を解決するもので、太陽光風力発電装置で発電した電力を、着脱することができる充電ユニットに備えた充電用バッテリーに蓄電し、蓄電された充電用バッテリーを備えた充電ユニットを太陽光風力発電装置から取り外し、住宅や施設の屋内に持ち運び、汎用的に使用できる乾電池形蓄電池や充電機器等へ充電して、機器を使用する事ができるため、充電ユニットを設置できる場所に限定されることなく、懐中電灯や時計、ラジオ、リモコン等乾電池を利用する機器や携帯電話や携帯音楽プレーヤー、携帯ゲーム機器等の充電機器等への利用用途を広げられる太陽光風力発電装置を提供することを目的としたものである。
【課題を解決するための手段】
【００１１】
本発明の太陽光風力発電充電装置は、上記目的を達成するために、太陽光風力発電装置で発電した電力を、着脱することができる充電ユニットに備えた充電用バッテリーに蓄電することができるものである。これにより、蓄電された充電用バッテリーを備えた充電ユニットを太陽光風力発電装置より取り外し、住宅や施設の屋内に持ち運び、屋内で乾電池形蓄電池や充電機器等に充電することが可能となる。
【００１２】
また他の手段は、充電ユニットに乾電池形蓄電池を装着して充電する充電ソケットを備えたものである。これにより、住宅や施設の屋内や充電ユニットを移動して単三形や単四形等の乾電池型蓄電池に充電することが可能となる。
【００１３】
また他の手段は、充電ユニットにＵＳＢ端子を備えたものである。これにより、携帯電話等の充電機器へ充電することが可能となる。
【００１４】
また他の手段は、充電ユニットにＤＣ端子を備えたものである。これにより、携帯音楽プレイヤーや携帯ゲーム機器等の充電機器へ充電することが可能となる。
【００１５】
また他の手段は、充電ユニットに充電状況を知らせる充電表示手段を備えたものである。これにより、充電ニットの充電用バッテリーの充電状況を把握することが可能となる。
【００１６】
また他の手段は、充電中の逆流防止のための逆流防止回路を備えたものである。これにより、乾電池形蓄電池や充電機器へ充電中に充電用バッテリーの電圧が下がった時に、電流の逆流を防止することが可能となる。
【００１７】
また他の手段は、充電ユニットに充電する乾電池形蓄電池の残電力量を知らせる残電力量表示手段を備えたものである。これにより、充電する乾電池形蓄電池の残電電力量を把握することが可能となる。
【００１８】
また他の手段は、充電ユニットに持ち運び用の取っ手を備えたものである。これにより、容易に充電ユニットを持ち運ぶ事ができる。
【００１９】
また他の手段は、太陽光・風力発電装置に固定用バッテリーと照明装置を備えたものである。これにより、夜間での充電ユニット着脱時に照明装置により手元を明るく照らし着脱を容易にすることが可能である。
【００２０】
また他の手段は、太陽光・風力発電装置に人を感知する人感知手段を備えたものである。これにより、充電ユニットを取り外そうと太陽光・風力発電装置に近づいた時に人感知センサーにより風力発電装置の風車を停止させ安全に充電ユニットの取り外し作業をすることが可能となる。
【００２１】
また他の手段は、充電ユニットを複数個備えたものである。これにより、ひとつの充電ユニットを取り外し住宅や施設の屋内などに持ち運び使用している時でも、本体ユニットに備えられた別の充電ユニットに備えた充電用バッテリー蓄電することが可能となる。
【００２２】
また他の手段は、充電ユニットにＬＥＤ照明などの小型の照明手段を備えたものである。これにより、夜間に充電ユニットを太陽光・風力発電装置から取り外し住宅や施設の屋内などに持ち運ぶ時に、照明手段により足元を照らすことが可能となる。
【００２３】
また他の手段は、充電ユニットに防水手段を備えたものである。これにより、大雨を伴う台風などの災害時に、充電ユニットを太陽光・風力発電装置から取り外し住宅や施設の屋内などに持ち運ぶ時に、漏電することがなく持ち運ぶことが可能となる。
【００２４】
また他の手段は、充電ユニットにＡＣ変換機を備えたものである。これにより、充電ユニットを太陽光・風力発電装置から取り外し住宅や施設の屋内などで使用するときに充電用バッテリーの電力がなくなったときに一般家庭の電源コンセントから充電用バッテリーに充電ことが可能となる。
【００２５】
また他の手段は、太陽光風力発電装置に小型カメラを備え、充電ユニットに小型カメラの画像を保存する記録手段を備えたものである。これにより、太陽光風力発電装置に防犯用途として備えた小型カメラで撮影した画像を、記録手段に接続した記録媒体に保存して太陽光・風力発電装置から取り外し住宅や施設の屋内などに持ち運ぶことが可能となる。
【００２６】
また他の手段は、充電ユニットに、記録手段に保存された画像を表示する画像表示手を備えたものである。これにより、太陽光風力発電装置に防犯用途として備えた小型カメラで撮影した画像を、記録手段に保存して太陽光・風力発電装置から取り外し住宅や施設の屋内などに持ち運び、記録手段に保存した画像を見ることが可能となる。
【発明の効果】
【００２７】
本発明によれば、設置場所が屋外のために利用用途が限定される太陽光・風力発電装置において、太陽光・風力発電装置で発電した電力を、着脱することができる充電ユニットに備えた充電用バッテリーに充電し、蓄電された充電用バッテリーを備えた充電ユニットを太陽光・風力発電装置から取り外し、住宅や施設の屋内に持ち運び、汎用的に使用できる乾電池形蓄電池や充電機器等へ充電して機器を使用する事ができるため、充電ユニットを設置できる場所に限定されることなく、懐中電灯や時計、ラジオ、リモコン等乾電池を利用する機器や携帯電話や携帯音楽プレイヤー、携帯ゲーム機器等の充電機器等への利用用途を広げられる太陽光風力発電装置を提供できる。
【発明を実施するための最良の形態】
【００２８】
本発明の請求項１記載の発明は、太陽光・風力発電装置で発電した電力を、着脱することができる充電ユニットに備えた充電用バッテリーに蓄電することができるものであり、これにより、蓄電された充電用バッテリーを備えた充電ユニットを太陽光・風力発電装置より取り外し、住宅や施設の屋内に持ち運び、屋内で乾電池や充電機器に充電できる作用を有する。
【００２９】
本発明の請求項２記載の発明は、充電ユニットに乾電池形蓄電池を装着して充電する充電ソケットを備えたものであり、これにより、住宅や施設の屋内に充電ユニットを移動して単三形や単四形等の乾電池形蓄電池に充電できる作用を有する。
【００３０】
本発明の請求項３記載の発明は、充電ユニットにＵＳＢ端子を備えたものであり、これにより、携帯電話等の充電機器へ充電できる作用を有する。
【００３１】
本発明の請求項４記載の発明は、充電ユニットにＤＣ端子を備えたものであり、これにより、携帯音楽プレイヤーや携帯ゲーム機器等の充電機器へ充電できる作用を有する。
【００３２】
本発明の請求項５記載の発明は、充電ユニットに充電状況を知らせる充電表示手段を備えたものであり、これにより、充電ニットの充電用バッテリーの充電状況を把握できる作用を有する。
【００３３】
本発明の請求項６記載の発明は、充電中の逆流防止のための逆流防止回路を備えたものであり、これにより、乾電池形蓄電池や充電機器へ充電中に充電用バッテリーの電圧が下がった時に、電流の逆流を防止する作用を有する。
【００３４】
本発明の請求項７記載の発明は、充電ユニットに充電する乾電池形蓄電池の残電力量を知らせる残電力量表示手段を備えたものであり、これにより、充電する乾電池形蓄電池の残電電力量を把握できる作用を有する。
【００３５】
本発明の請求項８記載の発明は、充電ユニットに持ち運び用の取っ手を備えたものであり、これにより、容易に充電ユニットを持ち運ぶ事ができる作用を有する。
【００３６】
本発明の請求項９記載の発明は、太陽光風力発電装置に固定用バッテリーと照明装置を備えたものであり、これにより、夜間での充電ユニット着脱時に照明装置により手元を明るく照らし着脱を容易にする作用を有する。
【００３７】
本発明の請求項１０記載の発明は、太陽光・風力発電装置に人を感知する安全手段を備えたものであり、これにより、充電ユニットを取り外そうと太陽光・風力発電装置に近づいた時に人感知センサーにより風力発電装置の風車を停止させ安全に充電ユニットの取り外し作業ができる作用を有する。
【００３８】
本発明の請求項１１記載の発明は、充電ユニットを複数個備えたものであり、これにより、ひとつの充電ユニットを取り外し住宅や施設の屋内などに持ち運び使用している時でも、本体ユニットに備えられた別の充電ユニットに備えた充電用バッテリー蓄電することができる作用を有する。
【００３９】
本発明の請求項１２記載の発明は、充電ユニットにＬＥＤ照明などの小型の照明手段を備えたものであり、これにより、夜間に充電ユニットを太陽光・風力発電装置から取り外し住宅や施設の屋内などに持ち運ぶ時に、照明手段により足元を照らすことができる作用を有する。
【００４０】
本発明の請求項１３記載の発明は、充電ユニットに防水手段を備えたものであり、これにより、大雨を伴う台風などの災害時に、充電ユニットを太陽光・風力発電装置から取り外し住宅や施設の屋内などに持ち運ぶ時に、漏電することがなく持ち運ぶことができる作用を有する。
【００４１】
本発明の請求項１４記載の発明は、充電ユニットにＡＣ変換機を備えたものであり、これにより、充電ユニットを太陽光・風力発電装置から取り外し住宅や施設の屋内などで使用するときに充電用バッテリーの電力がなくなったときに一般家庭の電源コンセントから充電用バッテリーに充電ことができる作用を有する。
【００４２】
本発明の請求項１５記載の発明は、太陽光風力発電装置に小型カメラを備え、充電ユニットに小型カメラの画像を保存する記録手段を備えたものであり、これにより、太陽光風力発電装置に防犯用途として備えた小型カメラで撮影した画像を、記録手段に保存して太陽光・風力発電装置から取り外し住宅や施設の屋内などに持ち運ぶことができる作用を有する。
【００４３】
本発明の請求項１６記載の発明は、充電ユニットに、記録手段に保存された画像を表示する画像表示手段を備えたものであり、これにより、太陽光風力発電装置に防犯用途として備えた小型カメラで撮影した画像を、記録手段に保存して太陽光・風力発電装置から取り外し住宅や施設の屋内などに持ち運び、記録手段に保存した画像を見ることができる作用を有する。
【００４４】
（実施の形態１）
図１は、本発明の実施の形態１の全体斜視図、図２は充電ユニット７の正面図である。全体構成として図１に示すように、太陽光風力発電装置１は太陽光モジュール２と、風車３と、風車３の回転エネルギーを電気エネルギーに変換する発電機４と、発電した電力を蓄電するための回路である蓄電回路５と、発電した電力を充電用に蓄電する充電用バッテリー６を内蔵した充電ユニット７を備えている。蓄電回路５と充電ユニット７は下部の本体ユニット８に収納されており、充電ユニット７は本体ユニット８から着脱する事が可能である。これにより、充電ユニット７に蓄電する時は本体ユニット８に収納して蓄電し、乾電池形蓄電池や充電機器等へ充電する時は本体ユニット８から取り外し住宅や施設等の屋内に持ち運び充電する事が可能である。
【００４５】
図２に示すように充電ユニット７は、発電した電力を充電用に利用するために蓄電する充電用バッテリー６と、充電中は赤色ＬＥＤの点灯で満充電は緑色ＬＥＤの点灯で充電用バッテリー６への充電状況を知らせる充電表示手段９、単三形の乾電池形蓄電池４本を装着して充電するための充電ソケット１０と、携帯電話などに充電するための端子であるＵＳＢ端子１１と、充電機器に充電するための端子であるＤＣ端子１２と、充電中に充電用バッテリー６の電圧が低くなった時にダイオードにより逆流を防止のための逆流防止回路１３と、乾電池形蓄電池に充電する場合に残電力量を乾電池形蓄電池に対応したＬＥＤの点灯で知らせる残電力量表示手段１４と、充電ユニット７を持ち運ぶための取っ手１５を備えている。
【００４６】
上記により、太陽光風力発電装置１で発電した電力を、充電ユニット７に蓄電し、蓄電された充電ユニット７を太陽光風力発電装置１から取り外し、住宅や施設等の屋内に持ち運び、屋内で乾電池形蓄電池に充電し懐中電灯や時計、ラジオ、リモコン等への利用や、携帯電話や携帯音楽プレーヤー、携帯ゲーム機器等の充電機器等へ充電し、充電ユニット７を設置できる場所に限定されることなく、多くの用途に利用する事が可能である。
【００４７】
なお、充電ユニット７は本体ユニット８から着脱して屋内に持ち運び充電する事ができるが、本体ユニット８に収納した状態でも乾電池形蓄電池や充電機器に充電する事が可能である。
【００４８】
なお、充電ユニット７を本体ユニット８に着脱する方法は、本体ユニット８の内部に設置した受け部に装着するなど一般的な着脱方法で良い。
【００４９】
なお、充電ユニット７を収納する場所は、本体ユニット８に限定されることなく専用収納ケースや発電機を収納するケース内に収納する等、太陽光風力発電装置の形態に対して適宜着脱しやすい場所に収納する事が可能である。
【００５０】
なお、充電ユニット７を本体から着脱して自動車等にて長時間移動して使用する時、充電ユニット７の蓄電容量が足らなくなった場合に自動車用充電アダプターを利用し自動車用の電源を利用して、一時的に自動用バッテリーから充電ユニット７に充電する事が可能である。
【００５１】
なお、充電ソケット１０は、ソケット形状を変えることによりにより、単１形の乾電池形蓄電池から単４形まで対応が可能である。また、同じ形の乾電池形蓄電池だけでなく、例えば単３形２本と単４形２本の組み合わせも可能である。また、発電量と充電用バッテリーの容量の大小により対応できる数が変わり、例えば２本でも１０本でも対応が可能である。対応する乾電池形蓄電池の本数により、本数が少なければ充電用バッテリーが小さくなり移動性が良くなり、本数が多くなれば充電用バッテリーが大きくなり移動性が悪くなり、充電して使用したい乾電池形蓄電池の数に合わせて、発電量と充電用バッテリー容量を選択する事が可能である。
【００５２】
なお、充電表示手段９は、ＬＥＤの赤や緑などの色による表示だけでなく、例えば３個のＬＥＤで充電状況によりＬＥＤの点灯数が増え３個点灯すれば満充電を表示するなど点灯するＬＥＤの数による表示も可能である。また、充電表示確認スイッチによりスイッチを押した時のみ充電表示手段が点灯することで、充電用バッテリーの消耗を防ぐことも可能である。
【００５３】
なお、充電ユニット７を夜間に着脱する場合、本体ユニット８に固定バッテリーを収納し、固定バッテリーの電力を利用する照明装置を設置し、本体ユニット８の内部又は着脱作業場所周辺を照らし、夜間でも明るい状況下で取り外し作業をする事が可能である。
【００５４】
なお、充電ユニット７を着脱する場合、太陽光風力発電装置１の風車３が着脱作業の作業領域に近いと風車の回転が危ないため、人検知センターによる人検知手段を備えることにより人が近づいたときに風車の回転を止める事が可能である。
【００５５】
なお、取っ手１５の形状は、充電ユニット７が大きく重い場合は手で握れる形状が望ましいが、充電ユニット７が小さくて軽い場合は手を差し入れる程度の凹み形状でも可能である。
【００５６】
（実施の形態２）
図５は、本発明の実施の形態２の全体斜視図、図６は充電ユニットＡ１１１の正面図、図７は充電ユニットＢ１１２の正面図である。全体構成として図５に示すように、カメラ付太陽光風力発電装置１１０は太陽光モジュール２と、風車３と、風車３の回転エネルギーを電気エネルギーに変換する発電機４と、発電した電力を蓄電するための回路である蓄電回路５と、発電した電力を充電用に蓄電する充電用バッテリー６を内蔵した充電ユニットＡ１１１と充電ユニットＢ１１２と、カメラ付太陽光風力発電装置１１０の外部のいずれかの部分に防犯用途としての小型カメラ１１３を備えている。蓄電回路５と充電ユニットＡ１１１と充電ユニットＢ１１２は下部の本体ユニット８に収納されており、充電ユニットＡ１１１と充電ユニットＢ１１２への充電は蓄電回路５により各々順番に切り替えて充電を行い、充電ユニットＡ１１１と充電ユニットＢ１１２は本体ユニット８から着脱する事が可能である。これにより、充電ユニットＡ１１１と充電ユニットＢ１１２は蓄電する時は本体ユニット８に収納して蓄電し、住宅や施設等の屋内で使用するときに、本体ユニット８から取り外し持ち運ぶ事が可能である。
【００５７】
図６に示すように充電ユニットＡ１１１は、発電した電力を充電用に利用するために蓄電する充電用バッテリー６と、充電中は赤色ＬＥＤの点灯で満充電は緑色ＬＥＤの点灯で充電用バッテリー６への充電状況を知らせる充電表示手段９、単三形の乾電池形蓄電池４本を装着して充電するための充電ソケット１０と、携帯電話などに充電するための端子であるＵＳＢ端子１１と、充電機器に充電するための端子であるＤＣ端子１２と、充電中に充電用バッテリー６の電圧が低くなった時にダイオードにより逆流を防止のための逆流防止回路１３と、乾電池形蓄電池に充電する場合に残電力量を乾電池形蓄電池に対応したＬＥＤの点灯で知らせる残電力量表示手段１４と、充電用バッテリーの電力がなくなったときに一般家庭の電源コンセントから充電用バッテリーに充電ことができるＡＣ変換機１１４と、充電ユニットＡ１１１を持ち運ぶための取っ手１５と、大雨を伴う台風などの災害時時に持ち運ぶ時の防水カバー１１５と、夜間持ち運ぶ時に足元を照らすＬＥＤ照明などの照明手段１１６を備えている。
【００５８】
図７に示すように充電ユニットＢ１１２は、発電した電力を充電用に利用するために蓄電する充電用バッテリー６と、充電中は赤色ＬＥＤの点灯で満充電は緑色ＬＥＤの点灯で充電用バッテリー６への充電状況を知らせる充電表示手段９、単三形の乾電池形蓄電池４本を装着して充電するための充電ソケット１０と、携帯電話などに充電するための端子であるＵＳＢ端子１１と、充電機器に充電するための端子であるＤＣ端子１２と、充電中に充電用バッテリー６の電圧が低くなった時にダイオードにより逆流を防止のための逆流防止回路１３と、乾電池形蓄電池に充電する場合に残電力量を乾電池形蓄電池に対応したＬＥＤの点灯で知らせる残電力量表示手段１４と、充電用バッテリーの電力がなくなったときに一般家庭の電源コンセントから充電用バッテリーに充電ことができるＡＣ変換機１１４と、充電ユニットＢ１１２を持ち運ぶための取っ手１５と、大雨を伴う台風などの災害時時に持ち運ぶ時の防水カバー１１５と、夜間持ち運ぶ時に足元を照らすＬＥＤ照明などの照明手段１１６と、防犯用途として記録手段１１７と、記録手段１１７に接続した記録手段に保存した画像を見ることができる画像表示手段１１８を備えている。
【００５９】
上記により、カメラ付太陽光風力発電装置１１０で発電した電力を、充電ユニットＡ１１１又は充電ユニットＢ１１２に蓄電し、蓄電された充電ユニットＡ１１１又は充電ユニットＢ１１２をカメラ付太陽光風力発電装置１１０から取り外し、住宅や施設等の屋内に持ち運び、屋内で乾電池形蓄電池に充電し懐中電灯や時計、ラジオ、リモコン等への利用や、携帯電話や携帯音楽プレーヤー、携帯ゲーム機器等の充電機器等への充電が可能であり、充電するための電力がなくなっても家庭用の電力により充電ユニットＡ１１１又は充電ユニットＢ１１２に蓄電し充電し利用することが可能である。
【００６０】
又、充電ユニットＡ１１１又は充電ユニットＢ１１２の２個のユニットを備えることにより、ひとつの充電ユニットを取り外し住宅や施設の屋内などに持ち運び使用している時でも、本体ユニットに備えられた別の充電ユニットに備えた充電用バッテリー蓄電することが可能である。
【００６１】
又、充電ユニットＡ１１１又は充電ユニットＢ１１２に、照明手段１１６と防水カバー１１５を備えることにより、夜間や大雨を伴う台風などの災害時等に充電ユニットＡ１１１又は充電ユニットＢ１１２をカメラ付太陽光風力発電装置１１０から取り外し住宅や施設の屋内などに持ち運ぶ時に、足元を明るく照らし充電ユニットＡ１１１又は充電ユニットＢ１１２を漏電することがなく持ち運ぶことが可能である。
【００６２】
又、充電ユニットＢ１１２に、防犯用途として備えた小型カメラ１１３の画像を保存する記録手段１１７に保存した画像を見ることができる画像表示手段１１８を備えることにより、小型カメラ１１３で撮影した画像を、充電ユニットＢ１１２をカメラ付太陽光風力発電装置１１０から取り外し、住宅や施設等の屋内に持ち運び、屋内で見る事が可能である。
【００６３】
なお、充電ユニットＡ１１１又は充電ユニットＢ１１２を本体ユニット８に着脱する方法は、本体ユニット８の内部に設置した受け部に装着するなど一般的な着脱方法で良い。
【００６４】
なお、充電ユニットＡ１１１又は充電ユニットＢ１１２を収納する場所は、本体ユニット８に限定されることなく専用収納ケースや発電機を収納するケース内に収納する等、太陽光風力発電装置の形態に対して適宜着脱しやすい場所に収納する事が可能である。
【００６５】
なお、充電ユニットＡ１１１又は充電ユニットＢ１１２は、ソケット形状を変えることによりにより、単１形の乾電池形蓄電池から単４形まで対応が可能である。また、同じ形の乾電池形蓄電池だけでなく、例えば単３形２本と単４形２本の組み合わせも可能である。また、発電量と充電用バッテリーの容量の大小により対応できる数が変わり、例えば２本でも１０本でも対応が可能である。対応する乾電池形蓄電池の本数により、本数が少なければ充電用バッテリーが小さくなり移動性が良くなり、本数が多くなれば充電用バッテリーが大きくなり移動性が悪くなり、充電して使用したい乾電池形蓄電池の数に合わせて、発電量と充電用バッテリー容量を選択する事が可能である。
【００６６】
なお、充電表示手段９は、ＬＥＤの赤や緑などの色による表示だけでなく、例えば３個のＬＥＤで充電状況によりＬＥＤの点灯数が増え３個点灯すれば満充電を表示するなど点灯するＬＥＤの数による表示も可能である。また、充電表示確認スイッチによりスイッチを押した時のみ充電表示手段が点灯することで、充電用バッテリーの消耗を防ぐことも可能である。
【００６７】
なお、充電ユニットＡ１１１又は充電ユニットＢ１１２は、を着脱する場合、太陽光風力発電装置１の風車３が着脱作業の作業領域に近いと風車の回転が危ないため、人検知センターによる人検知手段を備えることにより人が近づいたときに風車の回転を止める事が可能である。
【００６８】
なお、防水カバー１１５は雨の中でもカバーを開けずに中の表示などが確認できる透明カバーが望ましい。
【００６９】
なお、取っ手１５の形状は、充電ユニットＡ１１１又は充電ユニットＢ１１２が大きく重い場合は手で握れる形状が望ましいが、充電ユニット７が小さくて軽い場合は手を差し入れる程度の凹み形状でも可能である。
【００７０】
なお、記録手段１１７は記録媒体を充電ユニットＡ１１１又は充電ユニットＢ１１２に内蔵するがことができるが、フラッシュメモリーなどのカード型記録媒体を収納するカードスロットを設けることにより記録した画像をカード型記録媒体に保存することが可能である。
【産業上の利用可能性】
【００７１】
本発明は、充電ユニットの蓄電容量を大きくすれば、消費電力の大きい電気機器への電力供給の用途にも適用できる。
【図面の簡単な説明】
【００７２】
【図１】本発明の実施の形態１の全体斜視図
【図２】本発明の実施の形態１の充電ユニット正面図
【図３】従来技術の垂直軸風車搭載の太陽光風力発電装置示す図
【図４】同水平軸風車搭載の太陽光風力発電装置を示す図
【図５】本発明の実施の形態２の全体斜視図
【図６】本発明の実施の形態２の充電ユニットＡ正面図
【図７】本発明の実施の形態２の充電ユニットＢ正面図
【符号の説明】
【００７３】
１      太陽光風力発電装置
２      太陽光モジュール
３      風車
４      発電機
５      蓄電回路
６      充電用バッテリー
７      充電ユニット
８      本体ユニット
９      充電表示手段
１０    充電ソケット
１１    ＵＳＢ端子
１２    ＤＣ端子
１３    逆流防止回路
１４    残電力量表示手段
１５    取っ手
１０１  風力発電装置
１０２  太陽光発電装置
１０３  照明装置
１０４  蓄電装置
１０５  ベース
１０６  支柱
１０７  基礎柱部
１０８  中間柱部
１０９  上部柱部
１１０  カメラ付太陽光風力発電装置
１１１  充電ユニットＡ
１１２  充電ユニットＢ
１１３  小型カメラ
１１４  ＡＣ変換機
１１５  防水カバー
１１６  照明手段
１１７  記録手段
１１８  画像表示手段
【図１】
2009108853.tif 000003
【図２】
2009108853.tif 000004
【図３】
2009108853.tif 000005
【図４】
2009108853.tif 000006
【図５】
2009108853.tif 000007
【図６】
2009108853.tif 000008
【図７】
2009108853.tif 000009